(57)【特許請求の範囲】
【請求項１】
ユーザが用いる充電器を利用可能な携帯電話機と、料金を管理する料金サーバと、通信可能に接続され、前記ユーザから料金を徴収する料金徴収サーバであって、
前記ユーザの識別情報と前記携帯電話機の識別情報とを関連付けて記憶するユーザ情報記憶手段と、
前記充電器の接続を検知した前記携帯電話機が送信した前記携帯電話機の識別情報を受信する受信手段と、
前記受信手段が受信した前記携帯電話機の識別情報と、前記ユーザ情報記憶手段に記憶する前記携帯電話機の識別情報とが同一であると判断することによって認証する認証手段と、
前記認証の結果を前記携帯電話機に送信する送信手段と、
前記充電器の使用に応じた使用料データを算出する使用料算出手段と、
前記使用料算出手段が算出した前記使用料データを前記携帯電話機の使用に応じた通話料データに加算するために、前記料金サーバに送信する使用料加算手段と、
前記充電器の種別情報と共に、前記充電器の識別情報を受信する識別情報受信手段と、
前記認証手段の認証により、前記識別情報受信手段が受信した前記充電器の識別情報を、前記ユーザ情報記憶手段に記憶する前記携帯電話機の識別情報に対応付けて記憶する充電器データ格納手段と、
前記充電器を回収した情報管理端末から前記充電器の識別情報を受信したことに応じて、受信した前記充電器の識別情報に対応付けられた前記携帯電話機に回収データを送信する回収送信手段と、
を備える料金徴収サーバ。
【請求項２】
前記充電器の種別情報と前記使用料データとを対応付けて予め記憶する使用料記憶手段を、更に備え、
前記受信手段は、前記携帯電話機の識別情報と共に前記充電器の種別情報を受信し、
前記使用料算出手段は、前記使用料記憶手段に基づいて、前記受信手段が受信した前記充電器の種別情報に対応付けられた前記使用料データを算出する、請求項１に記載の料金徴収サーバ。
【請求項３】
前記回収送信手段は、前記携帯電話機にポイントデータを更に送信する、請求項１または請求項２に記載の料金徴収サーバ。
【請求項４】
ユーザが用いる着脱可能な充電器と、該充電器を利用可能な携帯電話機と、料金を管理する料金サーバと、通信可能に接続され、前記ユーザから料金を徴収する料金徴収サーバとを備える料金徴収システムであって、
前記料金徴収サーバは、
前記ユーザの識別情報と前記携帯電話機の識別情報とを関連付けて記憶するユーザ情報記憶手段と、
前記充電器の接続を検知した前記携帯電話機が送信した前記携帯電話機の識別情報を受信する受信手段と、
前記受信手段が受信した前記携帯電話機の識別情報と、前記ユーザ情報記憶手段に記憶する前記携帯電話機の識別情報とが同一であると判断することによって認証する認証手段と、
前記認証の結果を前記携帯電話機に送信する送信手段と、
前記充電器の使用に応じた使用料データを算出する使用料算出手段と、
前記使用料算出手段が算出した前記使用料データを前記携帯電話機の使用に応じた通話料データに加算するために、前記料金サーバに送信する使用料加算手段と、
前記充電器の種別情報と共に、前記充電器の識別情報を受信する識別情報受信手段と、
前記認証手段の認証により、前記識別情報受信手段が受信した前記充電器の識別情報を、前記ユーザ情報記憶手段に記憶する前記携帯電話機の識別情報に対応付けて記憶する充電器データ格納手段と、
前記充電器を回収した情報管理端末から前記充電器の識別情報を受信したことに応じて、受信した前記充電器の識別情報に対応付けられた前記携帯電話機に回収データを送信する回収送信手段と、
を備え、
前記携帯電話機は、前記充電器が接続されたことを検知し、前記料金徴収サーバに前記携帯電話機の識別情報を送信し、その後、前記認証の結果として認証されたことを受信したことに応じて、電源の供給を開始する開始コマンドを前記充電器に送信し、
前記充電器は、前記携帯電話機から前記開始コマンドを受信したことに応じて、前記携帯電話機へ電源の供給を開始し、
前記料金サーバは、料金徴収サーバが送信した前記使用料データを、前記通話料データに加算して、前記ユーザに請求する、
料金徴収システム。
【請求項５】
前記料金徴収サーバは、
前記充電器の種別情報と使用料データとを対応付けて予め記憶する使用料記憶手段を、更に備え、
前記受信手段は、前記携帯電話機の識別情報と共に前記充電器の種別情報を受信し、
前記使用料算出手段は、前記使用料記憶手段に基づいて、前記受信手段が受信した前記充電器の種別情報に対応付けられた前記使用料データを算出する、請求項４に記載の料金徴収システム。
【請求項６】
前記回収送信手段は、前記携帯電話機にポイントデータを更に送信する、請求項４または請求項５に記載の料金徴収システム。
【発明の詳細な説明】
【技術分野】
【０００１】
本発明は、使用料を徴収する料金徴収サーバ及びシステムに関する。特に、充電器の使用料を購入時ではなく購入した後から徴収する料金徴収サーバ及びシステムに関する。
【背景技術】
【０００２】
従来、広告は、テレビやラジオ等を利用して行われている他に、ダイレクトメールやちらし等を利用して行われている。現在では、インターネットの普及と共にパソコンや携帯電話等を利用したバナー広告やメール広告等がある。
【０００３】
このように、広告はさまざまな電子機器を利用して行われているが、電子機器を利用した広告を更に促進する方法として、例えば、特許文献１がある。
特許文献１には、充電時を利用して広告することを課題として、携帯電話機の充電時に直接、当該広告内容に関する情報を携帯電話機へ自動登録する携帯電話機用充電器が記載されている。また、メール・インターネット等により間接的にメール配信又はインターネット上の広告サイトへ接続する携帯電話機用充電器について記載されている。
【特許文献１】特開２００４−２０１２５６号公報
【発明の開示】
【発明が解決しようとする課題】
【０００４】
しかしながら、携帯電話機に充電をする場合の料金は、携帯電話機用充電器を購入した時や、携帯電話機用充電装置の使用時に支払う必要があるので、手持ちの現金が必要となり、利便性に欠ける。そこで、携帯電話機に充電を行っても、充電した料金をまとめて後から支払うシステムが望まれている。更に、充電し終わった充電器の回収を促進し、リサイクルにも貢献するシステムが望まれている。
【０００５】
本発明は、充電器の購入時に充電器の代金を支払う必要がなく、その結果、携帯電話機の使用を促進することができ、更に、充電器の回収を促進するサーバ及びシステムを提供することを目的とする。
【課題を解決するための手段】
【０００６】
本発明では、以下のような解決手段を提供する。
【０００７】
（１）  ユーザが用いる充電器を利用可能な携帯電話機と、料金を管理する料金サーバと、通信可能に接続され、前記ユーザから料金を徴収する料金徴収サーバであって、前記ユーザの識別情報と前記携帯電話機の識別情報とを関連付けて記憶するユーザ情報記憶手段と、前記充電器の接続を検知した前記携帯電話機が送信した前記携帯電話機の識別情報を受信する受信手段と、前記受信手段が受信した前記携帯電話機の識別情報と、前記ユーザ情報記憶手段に記憶する前記携帯電話機の識別情報とが同一であると判断することによって認証する認証手段と、前記認証の結果を前記携帯電話機に送信する送信手段と、前記充電器の使用に応じた使用料データを算出する使用料算出手段と、前記使用料算出手段が算出した前記使用料データを前記携帯電話機の使用に応じた通話料データに加算するために、前記料金サーバに送信する使用料加算手段と、を備える料金徴収サーバ。
【０００８】
（１）の構成によれば、本発明に係る料金徴収サーバは、ユーザの識別情報と携帯電話機の識別情報とを関連付けて記憶する。そして、充電器の接続を検知した携帯電話機が送信した携帯電話機の識別情報を受信し、受信した携帯電話機の識別情報と、記憶する携帯電話機の識別情報とが同一であると判断することによって認証し、認証の結果を携帯電話機に送信し、充電器の使用に応じた使用料データを算出し、算出した使用料データを携帯電話機の使用に応じた通話料データに加算するために、料金サーバに送信する。
【０００９】
よって、本発明に係る料金徴収サーバは、充電器の接続を検出した携帯電話機が送信した携帯電話機の識別情報を認証し、充電器の使用に応じた使用料データを算出し、携帯電話機の使用に応じた使用料データに加算するために、料金サーバに送信するので、ユーザは、充電器の使用に応じた使用料データが加算された、料金サーバが請求する携帯電話機の通話料を支払えばよい。したがって、本発明は、充電器の購入時に充電器の代金を支払う必要がなく、その結果、携帯電話の使用を促進することができる料金徴収サーバを提供することができる。
【００１０】
（２）  前記充電器の種別情報と前記使用料データとを対応付けて予め記憶する使用料記憶手段を、更に備え、前記受信手段は、前記携帯電話機の識別情報と共に前記充電器の種別情報を受信し、前記使用料算出手段は、前記使用料記憶手段に基づいて、前記受信手段が受信した前記充電器の種別情報に対応付けられた前記使用料データを算出する、（１）に記載の料金徴収サーバ。
【００１１】
（２）の構成によれば、本発明に係る料金徴収サーバは、充電器の種別情報と使用料データとを対応付けて予め記憶する使用料記憶手段を、更に備え、携帯電話機の識別情報と共に充電器の種別情報を受信し、使用料記憶手段に基づいて、受信した充電器の種別情報に対応付けられた使用料データを算出する。したがって、本発明は、種別によって使用料が異なる充電器であっても、充電器の購入時に、充電器の代金を支払う必要がなく、その結果、携帯電話の使用を、更に促進することができる料金徴収サーバを提供することができる。
【００１２】
（３）  前記充電器の種別情報と共に、前記充電器の識別情報を受信する識別情報受信手段と、前記認証手段の認証により、前記識別情報受信手段が受信した前記充電器の識別情報を、前記ユーザ情報記憶手段に記憶する前記携帯電話機の識別情報に対応付けて記憶する充電器データ格納手段と、前記充電器を回収した情報管理端末から前記充電器の識別情報を受信したことに応じて、受信した前記充電器の識別情報に対応付けられた前記携帯電話機に回収データを送信する回収送信手段と、を更に備える（１）又は（２）に記載の料金徴収サーバ。
【００１３】
（３）の構成によれば、本発明に係る料金徴収サーバは、充電器の種別情報と共に、充電器の識別情報を受信し、認証により、受信した充電器の識別情報を、ユーザ情報記憶手段に記憶する携帯電話機の識別情報に対応付けて記憶する。そして、充電器を回収した情報管理端末から充電器の識別情報を受信したことに応じて、受信した充電器の識別情報に対応付けられた携帯電話機に回収データを送信する構成を、更に備える。
【００１４】
したがって、本発明は、充電器の購入時に充電器の代金を支払う必要がなく、その結果、携帯電話の使用を促進することができるサーバを提供することができることに加えて、充電器を回収した回収データを携帯電話機に送信することができるので、充電器の回収及びリサイクルをも促進することができ、リサイクルした充電器を簡便に入手することができるようになる。その結果、携帯電話機の使用を更に促進することができる。
【００１５】
（４）  前記回収送信手段は、前記携帯電話機にポイントデータを更に送信する、（３）に記載の料金徴収サーバ。
【００１６】
（４）の構成によれば、本発明に係る料金徴収サーバは、携帯電話機にポイントデータを更に送信する。すなわち、料金徴収サーバは、使用後の充電器が回収されるようにしたユーザにポイントを付与する。したがって、充電器の回収及びリサイクルを更に促進することができ、リサイクルされた充電器を簡便に入手することができるようになる。その結果、携帯電話機の使用を更に促進することができる。
【００１７】
（５）  ユーザが用いる充電器と、該充電器を利用可能な携帯電話機と、料金を管理する料金サーバと、通信可能に接続され、前記ユーザから料金を徴収する料金徴収サーバとを備える料金徴収システムであって、前記料金徴収サーバは、前記ユーザの識別情報と前記携帯電話機の識別情報とを関連付けて記憶するユーザ情報記憶手段と、前記充電器の接続を検知した前記携帯電話機が送信した前記携帯電話機の識別情報を受信する受信手段と、前記受信手段が受信した前記携帯電話機の識別情報と、前記ユーザ情報記憶手段に記憶する前記携帯電話機の識別情報とが同一であると判断することによって認証する認証手段と、前記認証の結果を前記携帯電話機に送信する送信手段と、前記充電器の使用に応じた使用料データを算出する使用料算出手段と、前記使用料算出手段が算出した前記使用料データを前記携帯電話機の使用に応じた通話料データに加算するために、前記料金サーバに送信する使用料加算手段と、を備え、前記携帯電話機は、前記充電器が接続されたことを検知し、前記料金徴収サーバに前記携帯電話機の識別情報を送信し、その後、前記認証の結果として認証されたことを受信したことに応じて、電源の供給を開始する開始コマンドを前記充電器に送信し、前記充電器は、前記携帯電話機から前記開始コマンドを受信したことに応じて、前記携帯電話機へ電源の供給を開始し、前記料金サーバは、料金徴収サーバが送信した前記使用料データを、前記通話料データに加算して、前記ユーザに請求する、料金徴収システム。
【００１８】
（５）の構成によれば、本発明に係る料金徴収システムにおいて、料金徴収サーバは、ユーザの識別情報と前記携帯電話機の識別情報とを関連付けて記憶するユーザ情報記憶手段と、充電器の接続を検知した携帯電話機が送信した携帯電話機の識別情報を受信する受信手段と、受信手段が受信した携帯電話機の識別情報と、ユーザ情報記憶手段に記憶する携帯電話機の識別情報とが同一であると判断することによって認証する認証手段と、認証の結果を携帯電話機に送信する送信手段と、充電器の使用に応じた使用料データを算出する使用料算出手段と、使用料算出手段が算出した使用料データを携帯電話機の使用に応じた通話料データに加算するために、料金サーバに送信する使用料加算手段と、を備え、携帯電話機は、充電器が接続されたことを検知し、料金徴収サーバに携帯電話機の識別情報を送信し、その後、認証の結果として認証されたことを受信したことに応じて、電源の供給を開始する開始コマンドを充電器に送信し、充電器は、携帯電話機から開始コマンドを受信したことに応じて、携帯電話機へ電源の供給を開始し、料金サーバは、料金徴収サーバが送信した使用料データを、通話料データに加算して、ユーザに請求する。
【００１９】
よって、本発明に係る料金徴収システムにおいて、料金徴収サーバは、充電器の接続を検知した携帯電話機が送信した携帯電話機の識別情報を認証し、認証されたことを受信した携帯電話機は、充電器に開始コマンドを送信する。よって、携帯電話機は充電器によって電源を供給される。そして、料金徴収サーバは、充電器の使用に応じた使用料データを算出し、携帯電話機の使用に応じた通話料データに加算するために、料金サーバに送信し、料金サーバは、使用料データを、通話料データに加算して、ユーザに請求するので、ユーザは、充電器の使用料が加算された、料金サーバが請求する携帯電話機の通話料を支払えばよい。したがって、本発明は、充電器の購入時に充電器の代金を支払う必要がなく、その結果、携帯電話の使用を促進することができる料金徴収システムを提供することができる。
【００２０】
（６）  前記料金徴収サーバは、前記充電器の種別情報と使用料データとを対応付けて予め記憶する使用料記憶手段を、更に備え、前記受信手段は、前記携帯電話機の識別情報と共に前記充電器の種別情報を受信し、前記使用料算出手段は、前記使用料記憶手段に基づいて、前記受信手段が受信した前記充電器の種別情報に対応付けられた前記使用料データを算出する、（５）に記載の料金徴収システム。
【００２１】
（６）の構成によれば、本発明に係る料金徴収システムにおいて、料金徴収サーバは、充電器の種別情報と使用料データとを対応付けて予め記憶する使用料記憶手段を、更に備え、携帯電話機の識別情報と共に充電器の種別情報を受信し、使用料記憶手段に基づいて、受信した充電器の種別情報に対応付けられた使用料データを算出する。したがって、本発明は、種別によって使用料が異なる充電器であっても、充電器の購入時に、充電器の代金を支払う必要がなく、その結果、携帯電話の使用を、更に促進することができる料金徴収システムを提供することができる。
【００２２】
（７）  前記料金徴収サーバは、前記充電器の種別情報と共に、前記充電器の識別情報を受信する識別情報受信手段と、前記認証手段の認証により、前記識別情報受信手段が受信した前記充電器の識別情報を、前記ユーザ情報記憶手段に記憶する前記携帯電話機の識別情報に対応付けて記憶する充電器データ格納手段と、前記充電器を回収した情報管理端末から前記充電器の識別情報を受信したことに応じて、受信した前記充電器の識別情報に対応付けられた前記携帯電話機に回収データを送信する回収送信手段と、を更に備える（５）又は（６）に記載の料金徴収システム。
【００２３】
（７）の構成によれば、本発明に係る料金徴収システムにおいて、料金徴収サーバは、充電器の種別情報と共に、充電器の識別情報を受信し、認証により、受信した充電器の識別情報を、ユーザ情報記憶手段に記憶する携帯電話機の識別情報に対応付けて記憶する。そして、充電器を回収した情報管理端末から充電器の識別情報を受信したことに応じて、受信した充電器の識別情報に対応付けられた携帯電話機に回収データを送信する。したがって、本発明は、充電器の購入時に充電器の代金を支払う必要がなく、その結果、携帯電話の使用を促進することができるシステムを提供することができることに加えて、充電器を回収した回収データを携帯電話機に送信することができるので、充電器の回収及びリサイクルをも促進することができ、リサイクルした充電器を簡便に入手することができるようになる。その結果、携帯電話機の使用を更に促進することができる。
【００２４】
（８）  前記回収送信手段は、前記携帯電話機にポイントデータを更に送信する、（７）に記載の料金徴収システム。
【００２５】
（８）の構成によれば、本発明に係る料金徴収システムにおいて、料金徴収サーバは、携帯電話機にポイントデータを更に送信する。すなわち、料金徴収サーバは、使用後の充電器が回収されるようにしたユーザにポイントを付与する。したがって、充電器の回収及びリサイクルを更に促進することができ、リサイクルされた充電器を簡便に入手することができるようになる。その結果、携帯電話機の使用を更に促進することができる。
【発明の効果】
【００２６】
本発明によれば、充電器の購入時に充電器の代金を支払う必要がなく、その結果、携帯電話機の使用を促進することができ、更に、充電器の回収を促進するサーバ及びシステムを提供することができる。
【発明を実施するための最良の形態】
【００２７】
以下、本発明の実施形態について図を参照しながら説明する。
【００２８】
［実施例１］
図１は、本発明の一実施形態に係る料金徴収サーバ１０の機能構成を示す図である。料金徴収サーバ１０は、ユーザ情報記憶手段としてユーザ情報ＤＢ２０（データベース）と、携帯電話機５０の識別情報等を受信する識別情報受信部１１と、認証手段として認証部１２と、認証結果を送信する結果送信部１３と、使用料算出手段として使用料算出部１５と、使用料加算手段として使用料加算部１６とを備えている。更に、使用料記憶手段として充電器使用料ＤＢ３０（データベース）を、備えている。
【００２９】
ユーザ情報ＤＢ２０は、ユーザの識別情報と携帯電話機５０の識別情報とを関連付けて記憶している。ユーザの識別情報には、ユーザＩＤがある。ユーザＩＤは、他システムにおいて生成され、ユーザの情報（例えば、氏名、携帯電話機５０の電話番号、携帯電話機５０の機器番号等）と対応付けて登録されている。携帯電話機５０の識別情報には、携帯電話機５０の機器番号がある。ユーザ情報ＤＢ２０は、ユーザから料金徴収サーバ１０を利用する旨の要求を受けた他のシステムから料金徴収サーバ１０に送信されたユーザＩＤに基づいて、料金徴収サーバ１０が他のシステムから携帯電話機５０の機器番号、電話番号を取得することにより、作成される。
【００３０】
識別情報受信部１１は、携帯電話機５０の識別情報を受信する。また、本実施例では、充電器６０の種別により使用料データが異なる場合に、充電器６０の使用に応じた使用料データを算出するために充電器使用料ＤＢ３０を用いる実施例であるので、識別情報受信部１１は、充電器６０の種別情報も受信する。
【００３１】
認証部１２は、携帯電話機５０を認証する。認証は、携帯電話機５０から受信した携帯電話機５０の識別情報と、ユーザ情報ＤＢ２０に記憶する携帯電話機５０の識別情報とが同一であると判断することにより行われる。すなわち、認証部１２は、受信した携帯電話機５０の識別情報に基づいて、ユーザ情報ＤＢ２０を検索し、同一の識別情報を検索することができる場合には、携帯電話機５０を認証する。
【００３２】
結果送信部１３は、認証の結果を携帯電話機５０に送信する。すなわち、認証部１２が携帯電話機５０の機器番号を認証する場合には、その携帯電話機５０に認証するデータを送信する。認証部１２が携帯電話機５０の機器番号を認証できない場合には、その携帯電話機５０に認証しないデータを送信する。認証するデータを受信した携帯電話機５０は、充電器６０に携帯電話機５０への充電を開始するコマンドを送信し、充電器６０は携帯電話機５０への充電を開始する（後述する図４参照）。
【００３３】
充電器使用料ＤＢ３０は、充電器６０の種別情報と使用料データとを対応付けて予め記憶している。充電器６０の種別情報は、充電器６０の種別や型番等であり、充電器６０の使用料データに対応付けられた情報である。充電器使用料ＤＢ３０は、料金徴収サーバ１０に充電器６０の種別情報と使用料データとを入力することにより、予め作成される。なお、本実施例では、充電器使用料ＤＢ３０を備えているが、充電器６０の使用に応じた使用料データを他の方法で算出できる場合（例えば、一定料金の場合等）には、備える必要はない。
【００３４】
使用料算出部１５は、充電器６０の種別情報に対応付けられた使用料を算出する。すなわち、使用料算出部１５は、識別情報受信部１１が受信した充電器６０の種別情報に基づいて、充電器使用料ＤＢ３０を検索し、検索した充電器６０の種別に対応付けられた使用料データを取得することにより、充電器６０の使用に応じた使用料データを算出する。
【００３５】
使用料加算部１６は、使用料算出部１５が算出した充電器６０の使用に応じた使用料データを料金サーバ９０に送信する。すなわち、算出した使用料データを、携帯電話機５０の使用に応じた通話料データに加算するために料金サーバ９０に送信する。料金サーバは、携帯電話機５０の使用に応じた通話料データをユーザに請求する際に、料金徴収サーバ１０から送信された充電器６０の使用に応じた使用料データを加算し請求する。なお、料金徴収サーバ１０と、料金サーバ９０との間には、充電器６０の使用に応じた使用料データを、携帯電話機５０の使用に応じた通話料データに加算するために、予めユーザインターフェースが設けられている。
【００３６】
図２は、本発明の一実施形態に係る料金徴収サーバ１０の動作環境を示す図である。本発明の一実施例である料金徴収サーバ１０が、コンピュータネットワーク７０（インターネット、ＬＡＮ、ＷＡＮ等）を介して、充電器６０、６０ａを利用可能な携帯電話機５０、５０ａと、料金サーバ９０と、通信可能に接続されている例を示している。
【００３７】
料金徴収サーバ１０は、充電器６０の接続を検知した携帯電話機５０から、携帯電話機５０の識別情報及び充電器６０の種別情報をコンピュータネットワーク７０を介して受信する。次に、料金徴収サーバ１０は、受信した携帯電話機５０の識別情報を認証し、認証の結果を携帯電話機５０にコンピュータネットワーク７０を介して送信する。そして、
料金徴収サーバ１０は、受信した充電器６０の種別情報に対応付けられた使用料データを算出し、算出した使用料データを携帯電話機５０の使用に応じた通話料データに加算するために料金サーバ９０に、コンピュータネットワーク７０を介して送信する。
【００３８】
図３は、本発明の一実施形態に係る料金徴収サーバ１０のハードウェア構成の一例を示す図である。料金徴収サーバ１０は、ＣＰＵ（Ｃｅｎｔｒａｌ  Ｐｒｏｃｅｓｓｉｎｇ  Ｕｎｉｔ）１０１０（マルチプロセッサ構成ではＣＰＵ＿Ａ１０１２等複数のＣＰＵが追加されてもよい）、バスライン１００５、コンピュータネットワーク用通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、ハードディスク１０７０、通信Ｉ／Ｆ１０８０並びにキーボード及びマウス１１００等の入力手段や表示装置１０２２を備える。
【００３９】
ここで、ＣＰＵ１０１０は、料金徴収サーバ１０全体をコントロールし、ハードディスク１０７０等に記憶された各種のプログラムを読み出して実行することにより、本発明に係る各種手段を実現している。
【００４０】
ＢＩＯＳ１０６０は、料金徴収サーバ１０の起動時にＣＰＵ１０１０が実行するブートプログラムや、ハードウェアに依存するプログラム等を格納する。
【００４１】
ハードディスク１０７０は、料金徴収サーバ１０が機能するための各種プログラム及び本発明の機能を実行するプログラムを記憶しており、更に必要に応じて各種データベースを構成可能である。例えば、ハードディスク１０７０は、ユーザ情報ＤＢ２０、充電器使用料ＤＢ３０を構成する。
【００４２】
表示装置１０２２は、データの入力を受け付ける画面を表示したりするものであり、ブラウン管表示装置（ＣＲＴ）、液晶表示装置（ＬＣＤ）等のディスプレイ装置を含む。
【００４３】
ここで、入力手段は、入力の受け付けを行うものであり、キーボード及びマウス１１００等により構成する。
【００４４】
また、コンピュータネットワーク用通信Ｉ／Ｆ１０４０は、料金徴収サーバ１０を専用ネットワーク又は公共ネットワークを介して携帯電話機５０、５０ａ等と接続できるようにするためのネットワーク・アダプタである。通信Ｉ／Ｆ１０８０は、データを送受信するためのインターフェース装置である。
【００４５】
図４は、本発明の一実施形態に係る携帯電話機５０及び充電器６０のハードウェア構成の一例を示す図である。図４に示すように、ＣＰＵ（Ｃｅｎｔｒａｌ  Ｐｒｏｃｅｓｓｉｎｇ  Ｕｎｉｔ）２１１、メモリ２１２、操作部２１３、表示部５２、通信部２１５、撮像部２１６、スピーカ２１７、マイク２１８、インターフェース部２１９がバスラインＢＵＳにより接続されて携帯電話機５０を構成する。充電池２２０は、インターフェース部２１９と接続されている。
【００４６】
ＣＰＵ２１１は、携帯電話機５０を統括的に制御する部分であり、メモリ２１２に記憶された各種プログラムを適宜読み出して実行することにより、上述したハードウェアと協働し、本発明に係る各種機能を実現している。
【００４７】
メモリ２１２は、ＲＯＭ（Ｒｅａｄ  Ｏｎｌｙ  Ｍｅｍｏｒｙ）又は、ＲＡＭ（Ｒａｎｄｏｍ  Ａｃｃｅｓｓ  Ｍｅｍｏｒｙ））であってよく、携帯電話機５０で機能する各種プログラム及び、広告データを含む各種データを記憶する装置である。
【００４８】
操作部２１３は、各種設定や入力操作を行う操作ボタン群、決定操作ボタン等を備えており、操作部２１３による入力情報はＣＰＵ２１１の制御下で処理される。
【００４９】
表示部５２は、ＬＣＤ（Ｌｉｑｕｉｄ  Ｃｒｙｓｔａｌ  Ｄｉｓｐｌａｙ）や有機ＥＬ（Ｅｌｅｃｔｏｒｏ  Ｌｕｍｉｎｅｓｃｅｎｃｅ）によって構成され、各種データを表示する。
【００５０】
通信部２１５は、携帯電話として機能するために無線通信に必要なアンテナ及びアンテナ信号処理回路等を含んで構成される。インターフェース部２１９は、携帯電話機と周辺機器とを接続し、データの送受信及び電源供給を行う。充電池２２０は、携帯電話機５０の各部に電源を供給する。充電池２２０は、インターフェース部２１９と接続され、インターフェース部２１９を介して、充電器６０から電源が供給される。
【００５１】
充電器６０は、携帯電話機５０と接続することで、充電池６４の充電池により電源供給を行うインターフェース部６１と、充電池を有する充電池６４と、携帯電話機５０とデータの送受信を行い、電源供給を制御する制御部６２と、制御部６２からの制御を受けて充電池から携帯電話機５０への電源供給をＯＮ又はＯＦＦする電源ＯＮ／ＯＦＦ部６３とを備える。
【００５２】
充電器６０のインターフェース部６１は、充電池６４から供給される電源を、接続される電子機器へ供給することが可能なインターフェースである。充電器６０は、インターフェース部６１を介して、携帯電話機５０と着脱可能である。制御部６２は、ＣＰＵ（Ｃｅｎｔｒａｌ  Ｐｒｏｃｅｓｓｉｎｇ  Ｕｎｉｔ）であってよい。制御部６２は、携帯電話機５０のインターフェース部２１９を介してデータの送受信を行う。携帯電話機５０と送受信するデータには、携帯電話機５０から受信するデータとして充電器６０から電源の供給を開始する開始コマンド、携帯電話機５０へ送信するデータとして充電器６０のシリアル番号を送信するコマンド等がある。携帯電話機５０から受信したデータが、開始コマンドの場合には、制御部６２は、充電池６４から携帯電話機５０へ電源の供給を行うために、電源ＯＮ／ＯＦＦ部６３を制御する。携帯電話機５０から開始コマンドを受信するまでは、充電器６０から携帯電話機５０へ電源の供給は行われない。
【００５３】
図５は、本発明の一実施形態に係るユーザ情報ＤＢ２０を示す図である。ユーザ情報ＤＢ２０には、ユーザＩＤと、携帯電話機の機器番号と、携帯電話機のメールアドレスとが記憶される。
【００５４】
ユーザＩＤは、他のシステムで生成された、ユーザの識別情報である。ユーザ情報ＤＢ２０は、ユーザＩＤに対応付けられた携帯電話機の機器番号及び携帯電話機のメールアドレスを、他のシステムから料金徴収サーバ１０が取得することにより作成される。
【００５５】
図６は、本発明の一実施形態に係る充電器使用料ＤＢ３０を示す図である。充電器使用料ＤＢ３０には、充電器６０の種別及び番号からなるシリアル番号と、使用料とが予め記憶されている。
【００５６】
充電器６０のシリアル番号は、充電器６０の識別情報である。受信した充電器６０の識別情報であるシリアル番号のうち、充電器６０の種別に基づいて、充電器使用料ＤＢ３０を検索し、検索した充電器６０の種別に対応付けられた使用料データを算出することができる。例えば、図６に示す例のように、充電器６０の種別がＸＹＺに対し、使用する番号が１００００００１から１０９９９９９９までと、１１０００００１から１１４９９９９９までとが対応付けられ、使用料１０００円が対応付けられている。なお、図６に示す例のように、種別が記憶されていない場合には、上記以外に対応付けられ、使用料データを算出する。
【００５７】
図７は、本発明の一実施形態に係る料金徴収サーバ１０の処理内容を示すフローチャートである。携帯電話機５０から情報を受信すると処理を開始する。
【００５８】
ＣＰＵ１０１０は、充電器６０の接続を検知した携帯電話機５０から、携帯電話機５０の機器番号及び充電器６０のシリアル番号を受信し（ステップＳ１０１）、処理をステップＳ１０２に移す。
【００５９】
ステップＳ１０２において、ＣＰＵ１０１０は、ユーザ認証を行う。より具体的には、ＣＰＵ１０１０は、受信した携帯電話機５０の機器番号に基づいて、ユーザ情報ＤＢ２０を検索し、同一の機器番号を検索することができた場合には、携帯電話機５０の機器番号を認証し、同一の機器番号を検索することができない場合には、携帯電話機５０の機器番号を認証しない。その後、ＣＰＵ１０１０は、処理をステップＳ１０３に移す。
【００６０】
ステップＳ１０３において、ＣＰＵ１０１０は、認証の結果を携帯電話機５０に送信する。より具体的には、ＣＰＵ１０１０は、携帯電話機５０の機器番号を認証する場合には、認証するデータを携帯電話機５０に送信し、認証しない場合には、認証しないデータを携帯電話機５０に送信する。その後、ＣＰＵ１０１０は、処理をステップＳ１０４に移す。
【００６１】
ステップＳ１０４において、ＣＰＵ１０１０は、携帯電話機５０の機器番号を認証するデータの送信をしたか否かを判断する。この判断がＹＥＳの場合は、処理をステップＳ１０５に移し、ＮＯの場合は、処理を終了する。
【００６２】
ステップＳ１０５において、ＣＰＵ１０１０は、充電器の使用料データを算出する。より具体的には、ＣＰＵ１０１０は、受信した充電器６０のシリアル番号に含まれる充電器６０の種別に基づいて、充電器使用料ＤＢ３０を検索し、検索した充電器６０の種別に対応付けられた番号の中に受信したシリアル番号の番号が該当することを判断する。そして、受信した充電器６０の種別情報に対応付けられた使用料データを取得することにより使用料を算出する。その後、ＣＰＵ１０１０は、処理をステップＳ１０６に移す。
【００６３】
ステップＳ１０６において、ＣＰＵ１０１０は、充電器６０の使用料データを料金サーバ９０へ送信する。より具体的には、ＣＰＵ１０１０は、料金サーバ９０との間で予め定められているユーザインターフェースに従い、算出した使用料データを携帯電話機５０の通話料データに加算するための送信データを作成し、送信する。その後、ＣＰＵ１０１０は、処理を終了する。
【００６４】
図８は、本発明の一実施形態に係る料金徴収サーバ１０が携帯電話機５０の通話料データに充電器６０の使用料データを加算し徴収する例を示す図である。
【００６５】
図８は、料金サーバ９０が携帯電話機５０に通話料を請求する請求書のメールを送信し、携帯電話機５０がそのメールを携帯電話機５０の表示部５２に表示している例を示している図である。携帯電話機５０の表示部５２に表示されている請求書には、携帯電話機５０の通話料に充電器６０の使用料が加算されている。この例では、３月２９日の通話料２０００円に充電器６０の使用料として充電器料１０００円が加算されていることが判る。
【００６６】
図９は、料金徴収サーバ１０と、携帯電話機５０と、充電器６０と、料金サーバ９０との相互の関連を示すフローチャートである。
【００６７】
充電器６０を携帯電話機５０に装着すると、携帯電話機５０は充電器６０を検知し、携帯電話機５０の機器番号及び充電器６０のシリアル番号を料金徴収サーバ１０に送信する（ステップＡ５０１）。携帯電話機５０から携帯電話機５０の機器番号及び充電器６０のシリアル番号を受信した料金徴収サーバ１０は、携帯電話機５０の機器番号を認証し、認証するデータを携帯電話機５０に送信する（ステップＡ１０１）。料金徴収サーバ１０から認証するデータを受信した携帯電話機５０は、充電器６０に開始コマンドを送信する（ステップＡ５０２）。携帯電話機５０から開始コマンドを受信した充電器６０は、携帯電話機５０へ電源の供給を開始する（ステップＡ６０１）。
【００６８】
一方、携帯電話機５０から携帯電話機５０の機器番号及び充電器６０のシリアル番号を受信した料金徴収サーバ１０は、シリアル番号に含まれる充電器６０の種別情報に基づいて、充電器６０の使用料データを算出し、算出した使用料データを料金サーバ９０に送信する（ステップＡ１０３）。使用料データを受信した料金サーバ９０は、携帯電話機５０の通話料データに充電器６０の使用料データを加算し、携帯電話機５０に請求データを送信する（ステップＡ９０１）。
【００６９】
実施例１によれば、料金徴収サーバ１０は、充電器６０の接続を検知した携帯電話機５０が送信した携帯電話機５０の機器番号及びシリアル番号を受信し、受信した携帯電話機５０の機器番号と、ユーザ情報ＤＢ２０に記憶する携帯電話機５０の機器番号とが同一であると判断することによって認証し、認証の結果を携帯電話機５０に送信する。認証の結果として認証するデータを受信した携帯電話機５０は、充電器６０に開始コマンドを送信し、開始コマンドを受信した充電器６０は、携帯電話機５０へ電源の供給を開始する。一方、料金徴収サーバ１０は、充電器使用料ＤＢ３０に基づいて、受信した充電器６０のシリアル番号に含まれる種別に対応付けられた使用料を算出し、料金サーバ９０に送信する。したがって、実施例１によれば、充電器６０の購入時に充電器６０の代金を支払う必要がなく、その結果、携帯電話機５０の使用を促進することができる。
【００７０】
［実施例２］
図１０は、本発明の一実施形態に係る料金徴収サーバ１０の機能構成を示す図である。料金徴収サーバ１０は、実施例１の機能構成に加え、識別情報受信部１１が受信した充電器６０の識別情報を、ユーザ情報ＤＢ２０に記憶する充電器データ格納手段として充電器データ格納部１４を、更に備えている。また、充電器使用料ＤＢ３０は、充電器６０の種別情報と使用料データとに加え、ポイントデータを記憶している。ポイントデータは、例えば、ユーザに付与された場合に、ユーザに利益をもたらす。ポイントデータは、料金徴収サーバ１０に、充電器６０の種別情報及び使用料データと対応付けて入力することにより、予め作成される。そして、識別情報受信部１１は、回収した充電器６０のシリアル番号を情報管理端末９１から受信する。
【００７１】
識別情報受信部１１は、携帯電話機５０の機器番号及び充電器６０のシリアル番号を受信する。
【００７２】
認証部１２は、実施例１と同様に携帯電話機５０を認証する。
【００７３】
結果送信部１３は、実施例１と同様に認証の結果を携帯電話機５０に送信する。
【００７４】
充電器データ格納部１４は、識別情報受信部１１が受信した充電器６０のシリアル番号を、認証部１２が認証した携帯電話機５０の機器番号に対応付けて、ユーザ情報ＤＢ２０に記憶する。
【００７５】
使用料算出部１５は、実施例１と同様に充電器６０の使用料データを算出する。使用料加算部１６は、実施例１と同様に使用料算出部１５が算出した充電器６０の使用料データを料金サーバ９０に送信する。
【００７６】
更に、識別情報受信部１１は、回収した充電器６０のシリアル番号を情報管理端末９１から受信する。
【００７７】
結果送信部１３は、携帯電話機５０に回収の旨を送信する。すなわち、充電器６０を回収した情報管理端末９１から充電器６０のシリアル番号を識別情報受信部１１が受信したことに応じて、受信した充電器６０のシリアル番号に基づいて、ユーザ情報ＤＢ２０を検索し、検索した充電器６０のシリアル番号に対応付けられた携帯電話機５０に回収データを送信する。そして、受信した充電器６０のシリアル番号に含まれる種別に基づいて、充電器使用料ＤＢ３０を検索し、検索した充電器６０の種別に対応付けられたポイントデータを取得し、取得したポイントデータを携帯電話機５０に送信する。
【００７８】
図１１は、本発明の一実施形態に係る料金徴収サーバ１０の動作環境を示す図である。図１１は、実施例１の図２に、更に情報管理端末９１を追加した図である。本発明の一実施例である料金徴収サーバ１０が、コンピュータネットワーク７０（インターネット、ＬＡＮ、ＷＡＮ等）を介して、充電器６０、６０ａを利用可能な携帯電話機５０、５０ａと、料金サーバ９０と、情報管理端末９１と、通信可能に接続されている例を示している。
【００７９】
料金徴収サーバ１０は、実施例１に加えて、更に、携帯電話機５０から、充電器６０のシリアル暗号をコンピュータネットワーク７０を介して受信し、受信した充電器６０のシリアル暗号を、ユーザ情報ＤＢ２０に記憶する携帯電話機の機器番号に対応付けて記憶する。そして、料金徴収サーバ１０は、充電器６０を回収した情報管理端末９１から充電器６０のシリアル暗号をコンピュータネットワーク７０を介して受信し、受信したことに応じて、充電器６０のシリアル暗号に対応付けられた携帯電話機５０に回収データ及びポイントデータをコンピュータネットワーク７０を介して送信する。
【００８０】
図１２は、本発明の一実施形態に係るユーザ情報ＤＢ２０を示す図である。ユーザ情報ＤＢ２０には、実施例１に加えて、充電器６０のシリアル番号が記憶される。
【００８１】
充電器６０のシリアル番号が記憶されていると、記憶した充電器６０のシリアル番号に対応付けられた携帯電話機５０に回収データ及びポイントデータが送信される。すなわち、携帯電話機５０が送信し識別情報受信部１１が受信した充電器６０のシリアル番号を、充電器データ格納部１４が、携帯電話機５０の機器番号に対応付けて記憶する。そして、充電器６０を回収した情報管理端末９１が送信した充電器６０のシリアル番号を識別情報受信部１１が受信したことに応じて、結果送信部１３が、受信した充電器６０のシリアル番号に基づいて、ユーザ情報ＤＢ２０の充電器６０のシリアル番号を検索し、検索した充電器６０のシリアル番号に対応付けられた携帯電話機５０に結果送信部１３が回収データ及びポイントデータを送信する。
【００８２】
図１３は、本発明の一実施形態に係る充電器使用料ＤＢ３０を示す図である。充電器使用料ＤＢ３０には、実施例１に加えて、ポイントデータが予め記憶されている。例えば、図１３に示す例のように、充電器６０の種別がＸＹＺに対し、ポイントデータの１０点が対応付けられている。
【００８３】
図１４は、本発明の一実施形態に係る料金徴収サーバ１０の処理内容を示すフローチャートである。実施例１に加えて、充電器６０のシリアル番号を記憶するステップを備えている。
【００８４】
ＣＰＵ１０１０は、携帯電話機５０からデータを受信しているか否かを判断する（ステップＳ２０１）。この判断がＹＥＳの場合は、処理をステップＳ２０２に移し、ＮＯの場合は、処理を図１５のステップＳ２１１に移す。
【００８５】
ステップＳ２０２において、ＣＰＵ１０１０は、充電器６０の接続を検知した携帯電話機５０から、携帯電話機５０の機器番号及び充電器６０のシリアル番号を受信し、処理をステップＳ２０３に移す。
【００８６】
ステップＳ２０３において、ＣＰＵ１０１０は、ユーザ認証を行う。より具体的には、ＣＰＵ１０１０は、受信した携帯電話機５０の機器番号に基づいて、ユーザ情報ＤＢ２０を検索し、同一の機器番号を検索することができた場合には、携帯電話機５０の機器番号を認証し、同一の機器番号を検索することができない場合には、携帯電話機５０の機器番号を認証しない。その後、ＣＰＵ１０１０は、処理をステップＳ２０４に移す。
【００８７】
ステップＳ２０４において、ＣＰＵ１０１０は、認証の結果を携帯電話機５０に送信する。より具体的には、ＣＰＵ１０１０は、携帯電話機５０の機器番号を認証する場合には、認証するデータを携帯電話機５０に送信し、認証しない場合には、認証しないデータを携帯電話機５０に送信する。その後、ＣＰＵ１０１０は、処理をステップＳ２０５に移す。
【００８８】
ステップＳ２０５において、ＣＰＵ１０１０は、携帯電話機５０の機器番号を認証するデータの送信をしたか否かを判断する。この判断がＹＥＳの場合は、処理をステップＳ２０６に移し、ＮＯの場合は、処理を終了する。
【００８９】
ステップＳ２０６において、ＣＰＵ１０１０は、充電器６０のシリアル番号を記憶する。より具体的には、ＣＰＵ１０１０は、受信した充電器６０のシリアル番号を、ユーザ情報ＤＢ２０に記憶する携帯電話機５０の機器番号に対応付けて記憶する。その後、ＣＰＵ１０１０は、処理をステップＳ２０７に移す。
【００９０】
ステップＳ２０７において、ＣＰＵ１０１０は、充電器６０の使用料データを算出する。より具体的には、ＣＰＵ１０１０は、受信した充電器６０のシリアル番号に含まれる充電器６０の種別に基づいて、充電器使用料ＤＢ３０を検索し、検索した充電器６０の種別に対応付けられた番号の中に受信したシリアル番号の番号が該当することを判断する。そして、受信した充電器６０の種別に対応付けられた使用料データを取得することにより使用料を算出する。その後、ＣＰＵ１０１０は、処理をステップＳ２０８に移す。
【００９１】
ステップＳ２０８において、ＣＰＵ１０１０は、充電器６０の使用料データを料金サーバ９０へ送信する。より具体的には、ＣＰＵ１０１０は、料金サーバ９０との間で予め定められているユーザインターフェースに従い、算出した使用料データを携帯電話機５０の通話料データに加算するための送信データを作成し、送信する。その後、ＣＰＵ１０１０は、処理を終了する。
【００９２】
図１５は、図１４に続く処理内容を示すフローチャートである。図１５は、充電器６０のシリアル番号を情報管理端末９１から受信した後の処理を示す。
【００９３】
ステップＳ２１１において、ＣＰＵ１０１０は、情報管理端末９１からデータを受信しているか否かを判断する。この判断がＹＥＳの場合は、処理をステップＳ２１２に移し、ＮＯの場合は、処理を終了する。
【００９４】
ステップＳ２１２において、ＣＰＵ１０１０は、情報管理端末９１から、充電器６０のシリアル番号を受信し、処理をステップＳ２１３に移す。
【００９５】
ステップＳ２１３において、ＣＰＵ１０１０は、受信した充電器６０のシリアル番号に対応付けられた携帯電話機５０のメールアドレスを取得する。より具体的には、ＣＰＵ１０１０は、受信した充電器６０のシリアル番号に基づいて、ユーザ情報ＤＢ２０を検索し、検索した充電器６０のシリアル番号に対応付けられた携帯電話機５０のメールアドレスを取得する。その後、ＣＰＵ１０１０は、処理をステップＳ２１４に移す。
【００９６】
ステップＳ２１４において、ＣＰＵ１０１０は、充電器６０を回収した回収データとポイントデータとを携帯電話機５０に送信する。より具体的には、ＣＰＵ１０１０は、取得した携帯電話機５０のメールアドレスに、回収データと、受信したシリアル番号に含まれる充電器６０の種別に対応付けられた充電器使用料ＤＢ３０のポイントデータとを携帯電話機５０に送信する。その後、ＣＰＵ１０１０は、処理を終了する。
【００９７】
図１６は、本発明の一実施形態に係る料金徴収サーバ１０が携帯電話機５０にポイントデータを送信する例を示す図である。
【００９８】
図１６は、情報管理端末９１から充電器６０の回収データを受信した料金徴収サーバ１０が携帯電話機５０にポイントを付与するためにメールを送信し、携帯電話機５０がそのメールを携帯電話機５０の表示部５２に表示している例を示している図である。携帯電話機５０の表示部５２に表示されているポイントを付与するメールには、充電器６０の回収日と、充電器６０のシリアル番号と、ポイント等が記載され、この例では、充電器６０の回収日が４月１日、シリアル番号がＸＹＺ１００１２３４５、ポイントが１０ポイントであることが判る。
【００９９】
図１７は、料金徴収サーバ１０と、携帯電話機５０と、充電器６０と、料金サーバ９０と、情報管理端末９１との相互の関連を示すフローチャートである。
【０１００】
充電器６０を携帯電話機５０に装着すると、携帯電話機５０は充電器６０を検知し、携帯電話機５０の機器番号及び充電器６０のシリアル番号を料金徴収サーバ１０に送信する（ステップＢ５０１）。携帯電話機５０から携帯電話機５０の機器番号及び充電器６０のシリアル番号を受信した料金徴収サーバ１０は、携帯電話機５０の機器番号を認証し、認証するデータを携帯電話機５０に送信する（ステップＢ１０１）。料金徴収サーバ１０から認証するデータを受信した携帯電話機５０は、充電器６０に開始コマンドを送信する（ステップＢ５０２）。携帯電話機５０から開始コマンドを受信した充電器６０は、携帯電話機５０へ電源の供給を開始する（ステップＢ６０１）。
【０１０１】
一方、携帯電話機５０から携帯電話機５０の機器番号及び充電器６０のシリアル番号を受信した料金徴収サーバ１０は、充電器６０のシリアル番号をユーザ情報ＤＢ２０に記憶する（ステップＢ１０２）。次に、料金徴収サーバ１０は、シリアル番号に含まれる充電器６０の種別情報に基づいて、充電器６０の使用料データを算出し、算出した使用料データを料金サーバ９０に送信する（ステップＢ１０３）。使用料データを受信した料金サーバ９０は、携帯電話機５０の通話料データに充電器６０の使用料データを加算し、携帯電話機５０に請求データを送信する（ステップＢ９０１）。
【０１０２】
更に、充電器６０を回収した情報管理端末９１は、料金徴収サーバ１０に回収した充電器６０のシリアル番号を送信する（ステップＢ９１１）。充電器６０のシリアル番号を受信した料金徴収サーバ１０は、ユーザ情報ＤＢ２０に記憶したシリアル番号に対応付けられた携帯電話機５０を取得する（ステップＢ１０４）。そして、料金徴収サーバ１０は、取得した携帯電話機５０に回収データ及びポイントデータを送信する（ステップＢ１０５）。
【０１０３】
実施例２によれば、実施例１の処理に加えて、更に、料金徴収サーバ１０は、携帯電話機５０から充電器６０のシリアル番号を受信し、携帯電話機５０を認証すると、受信した充電器６０のシリアル番号を、ユーザ情報ＤＢ２０に記憶する携帯電話機５０の機器番号に対応付けて記憶する。そして、充電器６０を回収した情報管理端末９１から充電器６０のシリアル番号を受信したことに応じて、受信した充電器６０のシリアル番号に対応付けられた携帯電話機５０に回収データ及びポイントデータを送信する。したがって、実施例２によれば、充電器６０の購入時に充電器６０の代金を支払う必要がなく、その結果、携帯電話の使用を促進することができるサーバを提供することができることに加えて、充電器６０の回収データ及びポイントデータを携帯電話機５０に送信することができるので、充電器６０の回収及びリサイクルをも促進することができ、リサイクルした充電器を簡便に入手することができるようになる。その結果、携帯電話機５０の使用を更に促進することができる。
【０１０４】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【０１０５】
【図１】本発明の実施例１に係る料金徴収サーバ１０の機能構成を示す図である。
【図２】本発明の実施例１に係る料金徴収サーバ１０の動作環境を示す図である。
【図３】本発明の実施例１に係る料金徴収サーバ１０のハードウェア構成の一例を示す図である。
【図４】本発明の実施例１に係る携帯電話機５０及び充電器６０のハードウェア構成の一例を示す図である。
【図５】本発明の実施例１に係るユーザ情報ＤＢ２０を示す図である。
【図６】本発明の実施例１に係る充電器使用料ＤＢ３０を示す図である。
【図７】本発明の実施例１に係る料金徴収サーバ１０の処理内容を示すフローチャートである。
【図８】本発明の実施例１に係る料金徴収サーバ１０が携帯電話機５０の通話料データに充電器６０の使用料データを加算し徴収する例を示す図である。
【図９】本発明の実施例１に係る料金徴収サーバ１０と、携帯電話機５０と、充電器６０と、料金サーバ９０との相互の関連を示すフローチャートである。
【図１０】本発明の実施例２に係る料金徴収サーバ１０の機能構成を示す図である。
【図１１】本発明の実施例２に係る料金徴収サーバ１０の動作環境を示す図である。
【図１２】本発明の実施例２に係るユーザ情報ＤＢ２０を示す図である
【図１３】本発明の実施例２に係る充電器使用料ＤＢ３０を示す図である。
【図１４】本発明の実施例２に係る料金徴収サーバ１０の処理内容を示すフローチャートである。
【図１５】図１４に続く処理内容を示すフローチャートである。
【図１６】本発明の実施例２に係る料金徴収サーバ１０が携帯電話機５０にポイントデータを送信する例を示す図である。
【図１７】本発明の実施例２に係る料金徴収サーバ１０と、携帯電話機５０と、充電器６０と、料金サーバ９０と、情報管理端末９１との相互の関連を示すフローチャートである。
【符号の説明】
【０１０６】
１０  料金徴収サーバ
５０  携帯電話機
６０  充電器
７０  コンピュータネットワーク
９０  料金サーバ
９１  情報管理端末
【図１】
0004827878.tif 000002
【図２】
0004827878.tif 000003
【図３】
0004827878.tif 000004
【図４】
0004827878.tif 000005
【図５】
0004827878.tif 000006
【図６】
0004827878.tif 000007
【図７】
0004827878.tif 000008
【図８】
0004827878.tif 000009
【図９】
0004827878.tif 000010
【図１０】
0004827878.tif 000011
【図１１】
0004827878.tif 000012
【図１２】
0004827878.tif 000013
【図１３】
0004827878.tif 000014
【図１４】
0004827878.tif 000015
【図１５】
0004827878.tif 000016
【図１６】
0004827878.tif 000017
【図１７】
0004827878.tif 000018